(57)【要約】【課題】特別な器具を用いることなく、また、薬用物等を飲用することなく、美顔効果を容易に取得できる美顔形成方法を提供する。【解決手段】筋肉を介する骨への刺激、押圧力に基づいて美顔を形成する方法であり、顔、頭を含む全身の骨に対して施術を行う初期施術工程と、前記頭に対して施術を行う頭経絡施術工程と、前記顔に対して施術を行う顔経絡施術工程と、骨格小顔に対して施術を行う骨格小顔施術工程と、ヒーリング施術工程と、ストレッチによる最終的な施術を行う最終施術工程とで構成されている。適宜美容鍼灸を付加する。【選択図】図１
2019072302.tif 000002
【特許請求の範囲】
【請求項１】
筋肉を介する骨への刺激、押圧力に基づいて美顔を形成する方法であり、
顔、頭を含む全身の骨に対して施術を行う初期施術工程と、前記頭に対して施術を行う頭経絡施術工程と、前記顔に対して施術を行う顔経絡施術工程と、骨格小顔に対して施術を行う骨格小顔施術工程と、ヒーリング施術工程と、ストレッチによる最終的な施術を行う最終施術工程とで構成されていることを特徴とする美顔形成方法。
【請求項２】
前記初期施術工程が、
少なくとも、背中のストレッチ、脚のストレッチ、頸椎のほぐし、お腹のマッサージ、腕の揉み、耳、目を含む前記顔のほぐしで構成されている請求項１に記載の美顔形成方法。
【請求項３】
前記頭経絡施術工程が、
少なくとも、小顔経絡３ラインを引き上げて押し込む工程と、耳に対する施術工程と、百会から額中央までのツボを押す工程とで構成されている請求項１又は２に記載の美顔形成方法。
【請求項４】
前記顔経絡施術工程が、
少なくとも、親指で眉衛、臨泣を引き上げる工程と、頬骨をほぐす工程と、目から耳門、目尻までをほぐす工程とで構成されている請求項１乃至３のいずれかに記載の美顔形成方法。
【請求項５】
前記骨格小顔施術工程が、
少なくとも、縫合を擦り上げる工程と、額全体をほぐす工程と、咬筋や小頬骨筋をほぐす工程と、頬骨の両サイドを揉む工程と、鼻近辺を押し上げる工程と、側頭骨や頭頂骨をマッサージする工程とで構成されている請求項１乃至４のいずれかに記載の美顔形成方法。
【請求項６】
前記ヒーリング施術工程が、
少なくとも、前記顔にタオルをかけてさする工程と、顎下をマッサージする工程と、前記顔の中心らへんを叩く工程とで構成されている請求項１乃至５のいずれかに記載の美顔形成方法。
【請求項７】
前記最終施術工程が、
少なくとも、腕、首のストレッチ、前記頭から腰、肩と背中をさする工程と、前記肩と肩甲骨を叩く工程とで構成されている請求項１乃至６のいずれかに記載の美顔形成方法。
【請求項８】
更に美容鍼灸が付加されている請求項１乃至７のいずれかに記載の美顔形成方法。
【発明の詳細な説明】
【技術分野】
【０００１】
本発明は美顔形成方法に関し、特にリンパを流したり、筋膜を剥がしたりだけでなく、根本である骨へのアプローチによって美顔を形成する方法に関する。
【背景技術】
【０００２】
美顔形成に関し、例えば特開２００８−０６１９８８号公報（特許文献１）には、球状の物体を顔全体に覆いかぶせられるように連結させて顔に載せ、顔全体の筋肉トレーニングで、たるみを取り、美顔を作ると共に頭蓋骨・頚椎の関節運動となり、脳の疲れを解消させること美顔・筋トレ・たるみ取り具が提案されている。また、特開平０５−１９２１２６公報（特許文献２）には、清酒、焼酎、ワインなどの酒類に真珠を混入する美容剤（美顔剤）が提案されている。即ち、真珠が豪華さを表わすと共に、酒類中に溶解した真珠の主成分の炭酸カルシウムが、カルシウム欠乏症、骨軟化症、心臓病、てんかん、ヒステリー、眼疾などに対して有効に作用するほか、解毒剤などとしての作用を奏する。
【先行技術文献】
【特許文献】
【０００３】
【特許文献１】特開２００８−０６１９８８号公報
【特許文献２】特開平０５−１９２１２６公報
【特許文献３】特開２０１７−５２３８２９号公報
【発明の概要】
【発明が解決しようとする課題】
【０００４】
特許文献１の手法は顔に器具を置いて施術するため、その製造と管理が煩雑であり、簡易なものではない。また、特許文献２では物質を体内に取り込む必要があり、健康や体調の面で問題がある。
【０００５】
本発明の目的は、特別な器具を用いたり、飲用することなく美顔効果を容易に取得できる美顔形成方法を提供することである。
【課題を解決するための手段】
【０００６】
本発明は、筋肉を介する骨への刺激、押圧力に基づいて美顔を形成する美顔形成方法であり、本発明の上記目的は、顔、頭を含む全身の骨に対して施術を行う初期施術工程と、前記頭に対して施術を行う頭経絡施術工程と、前記顔に対して施術を行う顔経絡施術工程と、骨格小顔に対して施術を行う骨格小顔施術工程と、ヒーリング施術工程と、ストレッチによる最終的な施術を行う最終施術工程とで構成することにより達成される。
【０００７】
また、本発明の上記目的は、前記初期施術工程が、少なくとも、背中のストレッチ、脚のストレッチ、頸椎のほぐし、お腹のマッサージ、腕の揉み、耳、目を含む前記顔のほぐしで構成されていることにより、或いは前記頭経絡施術工程が、少なくとも、小顔経絡３ラインを引き上げて押し込む工程と、耳に対する施術工程と、百会から額中央までのツボを押す工程とで構成されていることにより、或いは前記顔経絡施術工程が、少なくとも、親指で眉衛、臨泣を引き上げる工程と、頬骨をほぐす工程と、目から耳門、目尻までをほぐす工程とで構成されていることにより、或いは前記骨格小顔施術工程が、少なくとも、縫合を擦り上げる工程と、額全体をほぐす工程と、咬筋や小頬骨筋をほぐす工程と、頬骨の両サイドを揉む工程と、鼻近辺を押し上げる工程と、側頭骨や頭頂骨をマッサージする工程とで構成されていることにより、或いは前記ヒーリング施術工程が、少なくとも、前記顔にタオルをかけてさする工程と、顎下をマッサージする工程と、前記顔の中心らへんを叩く工程とで構成されていることにより、或いは前記最終施術工程が、少なくとも、腕、首のストレッチ、前記頭から腰、肩と背中をさする工程と、前記肩と肩甲骨を叩く工程とで構成されていることにより、或いは更に美容鍼灸が付加されていることにより、より効果的に達成される。
【発明の効果】
【０００８】
本発明はリンパを流したり、筋膜を剥がしたりだけでなく、根本である骨へのアプローチによって美顔を形成する方法であり、頭蓋骨の縫合線を流れる髄液の流れを良くすることができる。頭蓋骨は幾つもの骨が繋がってできており、その骨と骨との繋ぎ目が縫合線であり、そこを流れる髄液の通りが悪くなると、老廃物が流れ難くなり、体調不良の元になる。
【図面の簡単な説明】
【０００９】
【図１】本発明の工程を示す流れ図である。
【図２】美顔形成の初期施術工程を説明するための模式図である。
【図３】美顔形成の初期施術工程を説明するための模式図である。
【図４】美顔形成の初期施術工程を説明するための模式図である。
【図５】美顔形成の初期施術工程を説明するための模式図である。
【図６】美顔形成の初期施術工程を説明するための模式図である。
【図７】美顔形成の初期施術工程を説明するための模式図である。
【図８】美顔形成の初期施術工程を説明するための模式図である。
【図９】美顔形成の初期施術工程を説明するための模式図である。
【図１０】美顔形成の初期施術工程を説明するための模式図である。
【図１１】美顔形成の初期施術工程を説明するための模式図である。
【図１２】美顔形成の初期施術工程を説明するための模式図である。
【図１３】美顔形成の初期施術工程を説明するための模式図である。
【図１４】美顔形成の経絡施術工程（頭）を説明するための模式図である。
【図１５】美顔形成の経絡施術工程（頭）を説明するための模式図である。
【図１６】美顔形成の経絡施術工程（頭）を説明するための模式図である。
【図１７】美顔形成の経絡施術工程（顔）を説明するための模式図である。
【図１８】美顔形成の経絡施術工程（顔）を説明するための模式図である。
【図１９】美顔形成の経絡施術工程（顔）を説明するための模式図である。
【図２０】美顔形成の骨格小顔施術工程を説明するための模式図である。
【図２１】美顔形成の骨格小顔施術工程を説明するための模式図である。
【図２２】美顔形成の骨格小顔施術工程を説明するための模式図である。
【図２３】美顔形成の骨格小顔施術工程を説明するための模式図である。
【図２４】美顔形成の骨格小顔施術工程を説明するための模式図である。
【図２５】美顔形成の骨格小顔施術工程を説明するための模式図である。
【図２６】美顔形成の骨格小顔施術工程を説明するための模式図である。
【図２７】美顔形成の骨格小顔施術工程を説明するための模式図である。
【図２８】美顔形成の骨格小顔施術工程を説明するための模式図である。
【図２９】美顔形成のヒーリング施術工程を説明するための模式図である。
【図３０】美顔形成のヒーリング施術工程を説明するための模式図である。
【図３１】美顔形成のヒーリング施術工程を説明するための模式図である。
【図３２】美顔形成の最終施術工程を説明するための模式図である。
【図３３】美顔形成の最終施術工程を説明するための模式図である。
【図３４】美顔形成の最終施術工程を説明するための模式図である。
【発明を実施するための形態】
【００１０】
本発明は、筋肉を介する骨への刺激、押圧力に基づいて美顔を形成する美顔形成方法であり、図１に示すように、顔、頭を含む全身の骨に対して施術を行う初期施術工程Ｓ１０と、頭に対して施術を行う頭経絡施術工程Ｓ２０と、顔に対して施術を行う顔経絡施術工程Ｓ３０と、骨格小顔に対して施術を行う骨格小顔施術工程Ｓ４０と、ヒーリング施術工程Ｓ５０と、ストレッチによる最終的な施術を行う最終施術工程Ｓ６０とで構成されている。更に必要に応じて、顔への刺鍼である美容鍼灸（針灸）Ｓ７０を施す。
【００１１】
先ず初期施術工程Ｓ１０では、図２に示すように、うつ伏せで背中をさすって肩を掴み、矢印Ａで示すようにクロスストレッチを行う。腰と肩に手を当て、押圧力をかけて行う。次に、図３に示すように脚１のストレッチを行い、足首を揃え、長さを確認して骨盤矯正を行う。次いで図４に示すように、頸椎ラインを３本の指でほぐすと共に、首３にチョップのようにしっかり手を置き、後頭部凸部２をこする。そして、図５に示すように、仰向けの状態でお腹をゆっくり押し、お臍の左側へ指３本分真横の位置をグリグリ押し、固いしこりがあるような場合にはほぐす。そして、そこから指３本分上と指３本分下を押し、同様に右側も行う。左右は逆であっても良い。次に、図６に示すように肩から指先までさすり、手三里４を３秒押し、更に脇下に指を入れて、脇前と脇の後を掴んで１０回ほど揉む。
【００１２】
次に、図７に示すように、手の平を天井に向けて、腕の内側の外目辺りを親指で上から下までリズミカルに押圧力を加えて行き、列けつ、神門、手の平、後けい、液門、水かき部、合谷、手首関節をストレッチし、手の甲を伸ばして手の甲をなで、手首から脇に向かって手でしっかり押圧力をかけて、５回程度ながす。反対側も同様に行う。順番は逆であっても良い。手三里４は手の疲れ、肩こり、胃腸の疲労に影響し、列けつは頭痛、顔のむくみ、鼻づまりに影響し、神門は自律神経の乱れ、便秘に影響し、手の平は腹痛、冷え、ストレスに影響し、後けいは首痛、筋肉の緊張に影響し、液門は貧血に影響し、水かき部は肩こり、冷えに影響し、合谷は気血の循環、目の疲れ、頭痛に影響する。
【００１３】
次いで図８に示すように、鎖骨の窪み５を肩先から中央に向かって優しくさすり、胸鎖乳突筋を上から下に掴み、顔上半分にタオルをかけ、図９に示すように額６全体をさすり、額６の中央からコメカミまで親指でワイパーのようにほぐす。
【００１４】
次に、図１０に示すように耳の縁を上中下に１０秒程度マッサージすると共に、耳の上中下を各５回引っ張って離し、中央を軽く引っ張りながら目を左右にグルグル回す。そして、舌７を１０秒間ほど突き出し、更に耳を１０秒ほど前側（顔側）に折り畳み、上下を１０秒程度折り畳んだ状態にする。その後、耳の周りを指の関節でゴリゴリとマッサージする。次いで、図１１に示すように、耳たぶの後ろ側のツボ（えいふう）を３秒ほど押して離す施術を３回行い、耳を手の平でクルクルして左右の耳抜きをそれぞれ２回行う。次いで、図１２に示すように、後頭部８を両手で優しく包み込み、頭がい骨が動き出したら両手を左右に開き、頭頂部を開く。そして、図１３に示すように目尻９を優しくリフトし、目尻９に左右の差があれば、皮膚誘導で調整して同じにする。
【００１５】
ここまでは初期施術工程Ｓ１０であるが、これら初期施術工程Ｓ１０の完了後に、続いて以下の経絡施術工程を実施する。経絡施術工程は、最初に頭に対する頭経絡施術工程Ｓ２０を実施し、次いで顔に対する顔経絡施術工程Ｓ３０を実施する。
【００１６】
即ち、頭経絡施術工程Ｓ２０では、先ず頭に対して、図１４に示すように小顔経絡３ラインのうち、膀胱系と肝経系を頭頂部１０の中心に向かって引き上げ、後ろに押し込み、三焦系は上に引き上げる施術を各５回ほど繰り返す。次いで、図１５に示すように顔を横向きにして、耳門に当てた親指で、上→前→後ろ方向に引き上げる施術を３回繰り返す。そして、耳の後ろ側を上から下まで扇状に流し、親指で耳裏のえいふうから角孫まで流し、３回完骨を押し、反対側も行う。順番は逆であっても良い。次いで図１６に示すように、百会から頭中央（神庭）までのツボを押す。
【００１７】
次いで顔に対して顔経絡施術工程Ｓ３０を行うが、先ず図１７に示すように、親指で眉衛（眉頭の上の頭髪の生え際辺り）を中央に引き寄せて固定し、反対の中指で眉頭〜眉衛、鼻筋〜眉衛までを引き上げ、１０回程度繰り返し、斜め引き上げを５ヵ所について行う。親指で臨泣（眉山の上の頭髪辺り）を固定し、反対の親指でそのラインを引き上げ、１０回ほど繰り返し、斜め引き上げを３ヵ所について行う。次に図１８に示すように、顔を横向きにして、がんえん（眉尻から斜め上の生え際辺り）を軽く引き上げて固定し、頬骨〜こめかみを３本指で下から上に流し、１０回程度繰り返す。目頭下から下瞼を通って眉尻の３分の１の所まで引き上げる施術を１０回ほど行う。頬骨の下の近辺や、口角横を親指で内側から外側に流す施術を５回程度行う。
【００１８】
次いで図１９に示すように、２本の親指で目の下から頬を下り、顎１２を挟むように耳門まで引き上げ、１０回程度繰り返した後、両方の手の平で頬先から目尻まで引き上げ、両方の手の平で頬先から耳下腺へ引き上げる施術を５回程度繰り返す。
【００１９】
次に、骨格小顔施術工程Ｓ４０を実施する。
【００２０】
骨格小顔施術工程Ｓ４０では、先ず図２０に示すように、冠状縫合→鱗状縫合→ラムダ縫合→矢状縫合を擦り上げるように、左右及び上下方向にマッサージし、図２１に示すように両方の手の平で額６の全体を上下にマッサージするが、特に眉毛ラインの固まったところをほぐし、摘まむ。次に、図２２に示すように咬筋を縦に、大頬骨筋、小頬骨筋をほぐし、大きく口を開けて翼突筋をほぐしたら指で軽く押し、口をパクパクしてもらう。口を軽く閉じてもらい、口輪筋をほぐす。咬筋は物を咬むときに使う筋肉で、表情筋を作るのに一番重要な処である。また、大頬骨筋は頬骨にあり、口を大きく開けて笑う時などに使われる筋肉で、この筋肉を鍛えると皺やたるみの予防になり、小頬骨筋は口元を斜めに引き上げ、笑顔を作る大切な筋肉で、ここが衰えると頬にたるみが出る。口輪筋は唇をぐるりと囲み、口の開閉や唇の微妙な動きに使われ、これが衰えると唇の上に皺ができるなど、老けた感じになる。
【００２１】
次に、指の関節でオトガイ筋をほぐし、顎二腹筋は指先で横にほぐす。指腹で鼻筋→眼輪筋→皺眉筋→前頭筋を横にほぐす。オトガイ筋は顎１２を動かす筋肉である。その後、図２３に示すように左手で額６の両サイド、右手で頬骨の両サイドを掴み、左右にゆっくりと１５秒程度ほぐし、これを２回ほど繰り返す。
【００２２】
その後、図２４に示すように、頬骨下の２ヵ所を奥に入れ込み（１分程度）（図２４（Ａ））→頬骨を横から内側に押し込み（１０秒程度）（図２４（Ｂ））→前面から後ろに押し込み（１０秒程度）（図２４（Ｃ））→法令線の上辺りを片方ずつ内側から外側に押し（１０秒程度）（図２４（Ｄ））→再度、頬骨下２ヵ所を入れ込む（１分程度）（図２４（Ａ））。次いで図２５に示すように、顎下２ヵ所をそれぞれ１０秒程度押し入れ、鰓を引き上げるように３ヵ所皮膚誘導し、その後に９０度に捻って後ろ方向に押し込む。
【００２３】
次いで、図２６に示すように、両方の中指で鼻根の横を中央に向かって横から擦り上げるようにもみ（図２４（Ａ））、小鼻の上の窪みを挟み込む（図２６（Ｂ））。そして、小鼻両脇の窪みを挟み込み、片手で鼻の根元を押えたまま、反対の手で小鼻に上の窪みを挟み（図２４（Ｃ））、呼吸に合わせて引っ張る（図２４（Ｄ））。この一連の施術を約１０〜３０回繰り返す。その後、図２７に示すように目の下の骨３点ツボを押し（図２７（Ａ））、眉山辺りの黒目より外側のツボを上に押し上げ、ナジオンを上に押し上げる（図２７（Ｂ））。次いで、その横の目頭から鼻柱に向かう辺りの窪みに指腹を当て、斜め上方向に押圧力をかけて押し上げ（図２７（Ｃ））、目尻横の縫合を状態（つり目なら下、リフトアップなら上）により、同時に皮膚誘導を１５秒程度行う（図２７（Ｄ））。そして、目尻のしわ取りの場合は真横に数回スライドする。その後、図２８に示すように、両方の手の平全体で側頭骨、頭頂骨を前から後ろに掻き上げるようにもみ、百会を足方向に体が揺れるくらいに６回ほど押す。
【００２４】
次に、ヒーリング施術工程Ｓ５０を実施する。即ち、図２９に示すように顔にタオル１４をかけ（図２９（Ａ））、４本の指で額６の全体を内側から外側にさすり、目が三角になるように前頭骨を軽く引き上げ（図２９（Ｂ））、静かに暫く静止する。次いで、額６を親指でワイパー状に揉み、目の周りを指先で優しくさすり（図２９（Ｄ））、親指を額６の中心に置き、人差し指で鼻の横〜耳の下の鰓の端まで滑らかにほどほどの押圧力を加えながらさする（図２９（Ｃ））。次いで図３０に示すように、顎下を３０秒ほど揉んだ後、下顎をしっかり押さえ、ゆっくり耳の下までストロークする（１回ストロークに１０秒程度）。次いで、手の平で顔全体を覆い、ゆっくりと手を顔の横まで動かして、顔を拡げるように施術する（約１分間）。次いで、図３１に示すように、指の腹で額の中心らへんを軽く、１分間位叩き、額に右手の人差し指を置き、指先に白光をイメージして３０秒経過したらゆっくり指を離す。
【００２５】
最後に、以下の最終施術工程Ｓ６０を実施する。即ち、図３２に示すように、万歳して腕をストレッチし、首の左右をストレッチし、次いでタオル等で首を外側に引っ張る。その後、図３３に示すように座ってもらい、第７頸椎を左に１０回ほど、右に１０回ほど揉んで左右に揺らし、頭から腰、肩と背中をさする。次いで図３４に示すように、肩と肩甲骨を叩き（肩甲骨回りは邪気が溜まり易いので、黒い靄が出ていくイメージをしてもらうと更に効果的）、肩を撫でて、腕を３ヵ所掴み、肩の中央をポンポンして終了する。
【００２６】
その後、美容鍼灸Ｓ７０を適宜施す。悩みのある顔の部位に美容液や手技、美容機器だけで行う単なるエステと異なり、全身調整をしながら体の根本改善を行い、同時に肌の局所を改善する。顔への刺鍼は筋肉の機能に基づき、解剖生理学的に静脈を避け、筋肉や結合組織に対して鍼を刺入するが、その手技を決定するために顔をアセスメントする。顔のたるみ、皺は筋肉の委縮、真皮層の老化などが原因となって起こるので、それぞれの原因により、筋肉への鍼灸、皺への鍼灸、傷痕への鍼灸など手技を使い分ける。
【００２７】
例えば皮膚を軽く伸展しても皺が残る場合、真皮性皺を意味し、皺が形成されている真皮層に対し、皮内鍼や円皮鍼などを使い、皮下にマイクロトラウマを作る施術を行う。また、深い皺の原因には、筋肉の拘縮なども関与するため、皺の形成に関与している筋肉に対する治療も筋肉バランステクニックを用いて同時に行う。真皮層まで至っている皺の場合、鍼を水平刺しにして皺の直下に皺に沿って刺入し、マイクロトラウマを作る施術を行う。
【符号の説明】
【００２８】
１            脚
２            後頭部凸部
３            首
４            手三里
５            鎖骨の窪み
６            額
７            舌
８            後頭部
９            目尻
１０          頭頂部
１１          眉衛
１２          顎
１３          骨３点ツボ
１４          タオル
【図１】
2019072302.tif 000003
【図２】
2019072302.tif 000004
【図３】
2019072302.tif 000005
【図４】
2019072302.tif 000006
【図５】
2019072302.tif 000007
【図６】
2019072302.tif 000008
【図７】
2019072302.tif 000009
【図８】
2019072302.tif 000010
【図９】
2019072302.tif 000011
【図１０】
2019072302.tif 000012
【図１１】
2019072302.tif 000013
【図１２】
2019072302.tif 000014
【図１３】
2019072302.tif 000015
【図１４】
2019072302.tif 000016
【図１５】
2019072302.tif 000017
【図１６】
2019072302.tif 000018
【図１７】
2019072302.tif 000019
【図１８】
2019072302.tif 000020
【図１９】
2019072302.tif 000021
【図２０】
2019072302.tif 000022
【図２１】
2019072302.tif 000023
【図２２】
2019072302.tif 000024
【図２３】
2019072302.tif 000025
【図２４】
2019072302.tif 000026
【図２５】
2019072302.tif 000027
【図２６】
2019072302.tif 000028
【図２７】
2019072302.tif 000029
【図２８】
2019072302.tif 000030
【図２９】
2019072302.tif 000031
【図３０】
2019072302.tif 000032
【図３１】
2019072302.tif 000033
【図３２】
2019072302.tif 000034
【図３３】
2019072302.tif 000035
【図３４】
2019072302.tif 000036